(57)【特許請求の範囲】
【請求項１】
底部に水槽を、その上方に、含塵空気取入口と清浄空気排出口を設けた除塵室を各々形成し、該除塵室上部には前記水槽に連絡したシャワー水供給装置を配設し、該シャワー水供給装置により粉塵を吸着した水が前記水槽に落下するように形成した穀物乾燥調製施設における湿式集塵装置において、前記水槽の水面より上方にあって前記除塵室に流入する粗大粉塵を搬送する粗大粉塵コンベアを横設するとともに、前記水槽の底部には該水槽に沈殿した汚泥を搬送する汚泥コンベアを横設する一方、前記水槽の水面付近には該水槽を浮遊する微粉塵を回収すべく、一部がスクリーン状の水切りとなした複数のバケットからなる浮遊粉塵回収コンベアを横設したことを特徴とする穀物乾燥調製施設における湿式集塵装置。
【発明の詳細な説明】
【０００１】
【産業上の利用分野】
本発明はライスセンタやカントリエレベータなどの穀物乾燥調製施設における湿式集塵装置に関する。
【０００２】
【従来の技術】
従来、この種の穀物乾燥調製施設においては、荷受工程から出荷工程までに発生する大量の粉塵を回収するため、各工程に設置した種々の処理機器及び搬送機器に接続した集塵ダクトを、屋外に設置した湿式の集塵装置に集中的に配管して効率的に集塵を行っている（特開平４−２２４４０等参照）。
【０００３】
この集塵装置を図４に基づいて説明する。水槽１０１の上方を除塵室１０２となすとともに除塵室１０２の上部にシャワー管１０３を配設し、除塵室の下部一側に含塵空気取入口１０４を、除塵室１０２の上端に清浄空気排出口１０５を各々設け、水槽１０１内には汚泥コンベア（スラッジコンベア）１０６を設けるとともに除塵室１０２下端には粗大粉塵コンベア（リッターコンベア）１０７を設けてあり、除塵室１０２内に供給される含塵空気とシャワー水とを接触させて除塵し、粗大粉塵は粗大粉塵コンベア１０７によって排出され、水槽１０１中に沈んだ微粉塵や土（汚泥）は汚泥コンベア１０６によって取り出すように形成されている。
【０００４】
【発明が解決しようとする課題】
ところで、前記汚泥コンベア１０６だけでは水槽１０１中の全ての微粉塵や汚泥を搬出することは困難であり、水槽１０１内に残留する微粉塵や汚泥が腐敗して悪臭を発し、不衛生である。すなわち、除塵室１０２内に供給される含塵空気のうち、水槽１０１中に流入する微粉塵は、比較的比重の大きい粉塵と比重の小さい粉塵とに分離する。そして、比重の大きい粉塵は水槽１０１の底部に汚泥として堆積し、汚泥コンベア１０６によって機外へ取り出される。しかし、比重の小さい粉塵は水槽１０１の水面上に浮遊しているため、機外に取り出されることはなかった。このため、従来は籾の収穫期終了後に浮遊粉塵を撤去したり、収穫期中であれば掻き寄せ棒などを使って人力で浮遊粉塵を機外に撤去していた。
【０００５】
本発明は前記問題点にかんがみ、水槽の水面上に浮遊している粉塵を回収して、悪臭を生じることがない湿式集塵装置を提供することを技術的課題とする。
【０００６】
【課題を解決するための手段】
前記課題を解決するため本発明は、底部に水槽を、その上方に、含塵空気取入口と清浄空気排出口を設けた除塵室を各々形成し、該除塵室上部には前記水槽に連絡したシャワー水供給装置を配設し、該シャワー水供給装置により粉塵を吸着した水が前記水槽に落下するように形成した穀物乾燥調製施設における湿式集塵装置において、前記水槽の水面より上方にあって前記除塵室に流入する粗大粉塵を搬送する粗大粉塵コンベアを横設するとともに、前記水槽の底部には該水槽に沈殿した汚泥を搬送する汚泥コンベアを横設する一方、前記水槽の水面付近には該水槽を浮遊する微粉塵を回収すべく、一部がスクリーン状の水切りとなした複数のバケットからなる浮遊粉塵回収コンベアを横設する、という技術的手段を講じた。
【０００７】
【０００８】
【０００９】
【作用】
穀物乾燥調製施設から集塵室に送り込まれた粉塵は、シャワー水供給装置から噴出する水滴又は霧滴に吸着され、汚水となって集塵室下方に落下する。そして、集塵室下方の粗大粉塵コンベアに到達した汚水は粗大な粉塵だけがこのコンベアによって機外に排出されるが、その他の汚水は粗大な粉塵だけがこのコンベアによって機外に排出されるが、その他の排水はコンベアを通過して水槽へ落下する。水槽内へ落下した汚水は水槽内で比重の大きい粉塵と比重の小さい粉塵とに分離し、比重の大きい粉塵は水槽の底部に汚泥として沈殿し、汚泥コンベアが回動することにより機外に排出される。一方、比重の小さい粉塵は水面上を浮遊するが、ポンプによる水流により浮遊粉塵回収コンベア付近に引き寄せられる。そして、比重の小さい粉塵は浮遊粉塵回収コンベアに設けられ、一部がスクリーン状の水切りとなしたバケットが回動することにより水槽から掻き上げられ、その後前記汚泥コンベアに供給されて機外に排出される。このとき、バケットは一部がスクリーン状の水切りとなっており、水槽の水を掻き出すことなくほぼ完全に浮遊粉塵の回収が行われる。以上のように、水槽の水面上を浮遊する微粉塵を常時回収することができる。
【００１０】
【実施例】
次に、本発明の好適な実施例を図面に基づいて説明する。図１は集塵装置の内部を示す概略側断面図であり、図２は概略正断面図である。図１及び図２において湿式集塵装置１は底部に水槽２を、その上方に、除塵室３を形成している。除塵室３は上部に前記水槽２に連絡するシャワー水供給装置４を配設し、除塵室３の一側の壁部には、乾燥機、籾摺機等の穀物乾燥調製施設に連通するダクト５が連結されており、穀物乾燥調製施設からこのダクト５を通して粉塵が含塵空気取入口６に送り込まれる。符号７は特開平６−４７２２９号に開示される水幕形成装置であり、該装置により含塵空気取入口６に送給された含塵空気がカーテン状の水幕に直ちに捕捉され、含塵空気の拡散を最小限に抑えることができる。
【００１１】
除塵室３の底部には、漏斗状の流下樋８が設けられ、該流下樋８の底部には粃（しいな）、藁（わら）くず等の比較的大きな夾雑物を搬送するリッターコンベア９が設けられる。該リッターコンベア８は環状の無端コンベアであって、搬送始端側のロール１０、搬送終端側のロール１１及びモータ等が内蔵されたコンベア駆動装置１２により回動される。そして、リッターコンベア９には粃、藁くず等をかき出す複数のかき上げ片１３を等ピッチをおいて設け、リッターコンベア９の側面と底面とにはコンベアケース１４を設けている。該コンベアケース１４の底面は、粃、藁くず等が漏出しない網目状のスクリーンになっており、粃、藁くず以外の汚水が水槽２に落下することができる。
【００１２】
水槽２は底部が漏斗状になっており、水槽２の水面付近で、かつ水槽２の幅方向中央部（図２参照）には、水面を浮遊する比重の小さい微粉塵（例えば籾殻の芒等）を回収する浮遊粉塵回収コンベア１５が横設されている。該コンベア１５は環状の無端コンベアであって、搬送始端側のロール１６、搬送終端側のロール１７及び図示しない駆動装置により回動される。そして、浮遊粉塵回収コンベア１５には水面上を浮遊する微粉塵を回収する複数のバケット１８を等ピッチをおいて設け、コンベア１５の搬送終端側は受樋２１を介して後述するスラッジコンベア２２と接続している。前記バケット１８の開口部１９は傾斜状に設けられており（図３参照）、開口部と反対側の回収部２０は浮遊粉塵が漏出しない網目状のスクリーンとなっている。
【００１３】
前記漏斗状の水槽２の底部には、水槽２に沈殿する汚泥をかき出すスラッジコンベア２２を横設している。該コンベア２２も環状の無端コンベアであって、搬送始端側のロール２３、搬送終端側のロール２４及びモータ等が内蔵されたコンベア駆動装置２５により回動される。符号２６は汚泥をかき出すかき上げ片であり、符号２７はコンベアケースである。該コンベアケース２７には前記受樋２１を設けて、浮遊粉塵回収コンベア１５と接続している。
【００１４】
前記水槽２の一側にはポンプ吸水管２８を設け、該ポンプ吸水管２８は前記水槽２の幅方向において、前記リッターコンベア９と対向する位置に設けている。そして、前記リッターコンベア９のコンベアケース１４から漏出した汚水が水面上で浮遊粉塵となり、該浮遊粉塵が浮遊粉塵回収コンベア１５に回収されるよう、水槽２の水面に幅方向（図２では左から右）の水流を形成する。さらに、水槽２の一側には、補給水装置３５とオーバーフロー３６とを設けている。
【００１５】
前記除塵室３の上部には多数の噴水口を有するシャワー水供給装置４が配設されているが、該シャワー水供給装置４にはポンプ吸水管２８、ポンプ２９及び取水管３０を介して水槽２から給水が行われる。また、符号３１は前記水幕形成装置７に給水する分岐管である。
【００１６】
前記シャワー供給装置４の上方には、含塵空気と清浄空気とを分離する気水分離フィルタ３２を設け、シャワー水供給装置４の下方には除塵室３内の圧力を一定に保つ圧力拡散板３３を設けるとともに、網状のスクリーン３４を設ける。
【００１７】
以下、上記実施例における具体的作動について説明する。乾燥機、籾摺機等の穀物乾燥調製施設からダクト５及び含塵空気取入口６を介して集塵室３内に送り込まれた粉塵は、最初に水幕形成装置７の水幕によって直ちに捕捉され、次にシャワー水供給装置４から噴出する水滴又は霧滴に吸着されて汚水となる。そして、粉塵を吸着した汚水は、重力により除塵室３下部の流下樋８に落下し、流下樋８上を流下しながら、全ての汚水がリッターコンベア９に到達する。一方、除塵室３内で粉塵が除去された清浄空気は、気水分離フィルタ３２により気水分離され、清浄空気排気口３７から機外へ排出される。
【００１８】
リッターコンベア９に到達した汚水は、汚水に含まれる粃、藁くず等の粗大な粉塵がこのコンベア７によって機外に排出される。しかし、シャワー水によって吸着されたその他の汚水はコンベア９及びコンベアケース１３のスクリーンから水槽２に落下する。水槽２内へ落下した汚水は水槽２内で比重の大きい粉塵と比重の小さい粉塵とに分離する。すなわち、汚水の中で比重の大きな粉塵（土や泥など）は水槽２底部のコンベアケース２７に汚泥として沈殿し、スラッジコンベア８が回動することにより、汚泥がかき上げ片２６にかき出されて機外に排出される。一方、汚水の中で比重の小さな粉塵（籾がらの芒など）は水槽２底部に沈降することはなく、水槽２水面上を浮遊する。この時、ポンプ吸水管２８により形成された水流により、比重の小さな粉塵は浮遊粉塵回収コンベア１５付近に引き寄せられ、該コンベア１５のバケット１８が回動することにより、比重の小さい粉塵がかき上げられる。この時、バケット１８の回収部２０はスクリーン状の水切りとなり、水をかき出すことはない。そして、バケット１８により比重の小さな粉塵は搬送終端部の受樋２１まで移送され、スラッジコンベア２２により比重の大きな粉塵（汚泥）とともに機外に排出される。
【００１９】
【発明の効果】
以上のように本発明によれば、底部に水槽を、その上方に、含塵空気取入口と清浄空気排出口を設けた除塵室を各々形成し、該除塵室上部には前記水槽に連絡したシャワー水供給装置を配設し、該シャワー水供給装置により粉塵を吸着した水が前記水槽に落下するように形成した穀物乾燥調製施設における湿式集塵装置において、前記水槽の水面より上方にあって前記除塵室に流入する粗大粉塵を搬送する粗大粉塵コンベアを横設するとともに、前記水槽の底部には該水槽に沈殿した汚泥を搬送する汚泥コンベアを横設する一方、前記水槽の水面付近には該水槽を浮遊する微粉塵を回収すべく、一部がスクリーン状の水切りとなした複数のバケットからなる浮遊粉塵回収コンベアを横設したので、除塵室に流入する粗大粉塵及び水槽内に沈殿する汚泥を機外に搬送できるばかりか、水槽の水面上を浮遊する粉塵をも水槽の水を掻き出すことなくほぼ完全に回収することができるので、悪臭を発生することなく、衛生的である。さらに、従来のように、籾の収穫期終了後に浮遊粉塵を撤去したり、籾の収穫期途中に掻き寄せ棒などを使って人力で浮遊粉塵を機外に撤去する必要がなくなった。
【図面の簡単な説明】
【図１】本発明の一実施例を示す概略側断面図である。
【図２】本発明の一実施例を示す概略正断面図である。
【図３】浮遊粉塵回収コンベアの拡大断面図である。
【図４】従来の穀物乾燥調製施設における集塵装置を示す側断面図である。
【符号の説明】
１  湿式集塵装置
２  水槽
３  除塵室
４  シャワー水供給装置
５  ダクト
６  含塵空気取入口
７  水幕形成装置
８  流下樋
９  リッターコンベア
１０  ロール
１１  ロール
１２  コンベア駆動装置
１３  かき上げ片
１４  コンベアケース
１５  浮遊粉塵回収コンベア
１６  ロール
１７  ロール
１８  バケット
１９  開口部
２０  回収部
２１  受樋
２２  スラッジコンベア
２３  ロール
２４  ロール
２５  コンベア駆動装置
２６  かき上げ片
２７  コンベアケース
２８  ポンプ吸水管
２９  ポンプ
３０  取水管
３１  分岐管
３２  気水分離フィルタ
３３  圧力拡散板
３４  スクリーン
３５  補給水装置
３６  オーバーフロー
３７  清浄空気排気口
【図１】
0003599128.tif 000002
【図２】
0003599128.tif 000003
【図３】
0003599128.tif 000004
【図４】
0003599128.tif 000005